(57)【要約】【課題】両端子の接点部分の摩耗を抑制する。【解決手段】本明細書によって開示される雌端子１０は、雄端子Ｔが内部に挿抜される筒状接続部２０と、筒状接続部２０内に配され、筒状接続部２０内に挿入された雄端子Ｔを上下方向両側から弾性的に挟持可能な接点部２６を有する上下一対の弾性接触片２３と、筒状接続部２０に設けられた端子挿入口２１の開口縁部２２と上下一対の弾性接触片２３における各接点部２６との間に設けられ、前後方向に弾性変形可能な弾性吸収部２７とを備える構成とした。【選択図】図８
2020053410.tif 000002
【特許請求の範囲】
【請求項１】
雄端子が内部に挿抜される筒状接続部と、
前記筒状接続部内に配され、前記筒状接続部内に挿入された前記雄端子を両側から弾性的に挟持可能な接点部を有する複数の弾性接触片と、
前記筒状接続部と前記接点部との間に設けられ、前記雄端子の挿抜方向に弾性変形可能な弾性吸収部とを備える雌端子。
【請求項２】
前記弾性接触片は、前記雄端子の挿抜方向に延出された形態で前記筒状接続部における前記雄端子が挿入される開口縁に設けられており、
前記弾性吸収部は、前記弾性接触片の基端部において前記雄端子の挿抜方向と交差する方向に屈曲している請求項１に記載の雌端子。
【請求項３】
前記弾性吸収部は、前記雄端子の挿抜方向と交差する方向に屈曲する複数の弾性屈曲部を有している請求項１または請求項２に記載の雌端子。
【発明の詳細な説明】
【技術分野】
【０００１】
本明細書によって開示される技術は、雌端子に関する。
【背景技術】
【０００２】
例えば、平板状の雄型接続部を有する雄端子が接続される雌端子として、特開２０１３−２４３０１６号公報（下記特許文献１）に記載のものが知られている。この雌端子は、雄端子の雄型接続部が前方から挿入される角筒部を備えており、角筒部内には、雄端子の雄型接続部に弾性的に接触する弾性接触片が形成されている。弾性接触片は、角筒部の前端開口縁における上縁および下縁から角筒部内に向かって延出された形態をなしており、複数の弾性接触片が角筒部内に挿入された雄型接続部を上下方向両側から弾性的に挟持することで両端子が電気的に接続される。
【先行技術文献】
【特許文献】
【０００３】
【特許文献１】特開２０１３−２４３０１６号公報
【発明の概要】
【発明が解決しようとする課題】
【０００４】
ところで、上記の雌端子は、弾性接触片によって雄端子の雄型接続部を上下方向両側から挟持しているものの、振動が発生する場所や、高温と低温とが繰り返される場所で使用されると、雌端子と雄端子とが前後方向に相対的に微摺動することで、接点部分が摩耗し、両端子の接続信頼性が低下する虞がある。
【０００５】
本明細書では、両端子の接点部分の摩耗を抑制する技術を開示する。
【課題を解決するための手段】
【０００６】
本明細書によって開示される技術は、雄端子が内部に挿抜される筒状接続部と、前記筒状接続部内に配され、前記筒状接続部内に挿入された前記雄端子を両側から弾性的に挟持可能な接点部を有する複数の弾性接触片と、前記筒状接続部と前記接点部との間に設けられ、前記雄端子の挿抜方向に弾性変形可能な弾性吸収部とを備える構成とした。
【０００７】
このような構成の雌端子によると、雄端子と雌端子との間で雄端子の挿抜方向に相対的な位置ずれが生じる場合であっても、弾性吸収部が雄端子の挿抜方向に弾性変形して伸縮することにより、弾性接触片の接点部を雄端子に追従させ、雄端子と接点部とが摺動することを抑制することができる。これにより、雌端子と雄端子との接続信頼性が低下することを抑制することができる。
【０００８】
本明細書によって開示される雌端子は、以下の構成としてもよい。
前記弾性接触片は、前記雄端子の挿抜方向に延出された形態で前記筒状接続部における前記雄端子が挿入される開口縁部に設けられており、前記弾性吸収部は、前記弾性接触片の基端部において前記雄端子の挿抜方向と交差する方向に屈曲している構成としてもよい。
このような構成によると、弾性接触片の基端部を雄端子の挿抜方向と交差する方向に屈曲させるだけで弾性吸収部を構成することができる。
【０００９】
前記弾性吸収部は、前記雄端子の挿抜方向と交差する方向に屈曲する複数の弾性屈曲部を有している構成としてもよい。
このような構成によると、弾性接触片の基端部を雄端子の挿抜方向と交差する方向に弾性屈曲部が複数設けられているから、例えば、弾性吸収部に弾性屈曲部が１つだけ設けられている場合に比べて、弾性吸収部における前後方向の位置ずれを抑制し易くすることができる。
【発明の効果】
【００１０】
本明細書によって開示される技術によれば、両端子の接点部分の摩耗を抑制することができる。
【図面の簡単な説明】
【００１１】
【図１】雌端子の斜視図
【図２】同平面図
【図３】同正面図
【図４】同側面図
【図５】図２のＡ−Ａ線断面図
【図６】雌端子と雄端子とが接続した状態を示す平面図
【図７】図６のＢ−Ｂ線断面図
【図８】一対の弾性接触片に挟持された雄端子が後方に僅かに位置ずれした状態を模式的に示す断面図
【図９】図８の要部拡大断面図
【図１０】一対の弾性接触片に挟持された雄端子が前方に僅かに位置ずれした状態を模式的に示す断面図
【図１１】図１０の要部拡大断面図
【発明を実施するための形態】
【００１２】
＜実施形態＞
本明細書に開示された技術における一実施形態について図１から図１１を参照して説明する。
本実施形態は、平板状の雄端子Ｔが前方から接続可能な雌端子１０を例示している。なお、以下の説明において、上下方向とは、図３から図５における上下方向を基準とする。また、前後方向とは図６および図７における雄端子Ｔと雌端子１０とを互いに接続させる方向を基準とし、互いに接続させる側を前側として説明する。
【００１３】
雌端子１０は、導電性に優れた金属板材にプレスなどによって加工することにより形成されており、図１および図７に示すように、雄端子Ｔが前後方向に内部に挿抜される筒状接続部２０と、筒状接続部２０の後端に連設された繋ぎ部１１を介して設けられた電線接続部１２とを備えて構成されている。
【００１４】
電線接続部１２は、図１、図６および図７に示すように、電線Ｗの端末において露出した芯線Ｗ１が載置される底板１３と、底板１３の幅方向両側縁から立ち上がる一対のワイヤバレル１４とを有しており、底板１３上に芯線Ｗ１が載置された状態で一対のワイヤバレル１４を芯線Ｗ１にかしめ圧着することで電線Ｗの端末に雌端子１０が電気的に接続されるようになっている。
【００１５】
筒状接続部２０は、図１および図３に示すように、前後方向に開口した正面視略矩形状をなす角筒状に形成されており、前方の略矩形状の開口である端子挿入口２１から雄端子Ｔが挿入可能とされている。
【００１６】
筒状接続部２０の端子挿入口２１における開口縁部２２の上縁２２Ａおよび下縁２２Ｂには、図４に示すように、筒状接続部２０内に挿入される雄端子Ｔを上下方向両側から弾性的に挟持する上下一対の弾性接触片２３が筒状接続部２０の上下方向略中央部を境に上下対称となるように設けられている。
【００１７】
上下一対の弾性接触片２３は、図４および図５に示すように、筒状接続部２０内の前部から後部まで延びる上下一対の接触片本体２４を有しており、上下一対の接触片本体２４は、互いに離れるように上下方向に弾性変形可能とされている。
【００１８】
上下一対の接触片本体２４の後端部は、互いに相手側に向かって張り出す丸みを帯びた山形部２５とされており、山形部２５の張り出し端には、筒状接続部２０内に挿入される雄端子Ｔに弾性的に接触する接点部２６が設けられている。
一対の弾性接触片２３における接点部２６は、それぞれの弾性接触片２３が弾性変形しない自然状態においては、図４および図５に示すように、互いに上下方向に接触した状態となっている。
【００１９】
一方、雄端子Ｔが筒状接続部２０内における正規位置まで挿入されると、一対の接触片本体２４における接点部２６は、図７に示すように、雄端子Ｔの前端部における上下面に設けられた雄側接点部Ｔ１を上下方向両側から弾性的に挟持するように接触する。これにより、雄側接点部Ｔ１と接点部２６とが電気的に接続され、雄端子Ｔと雌端子１０とが電気的に接続される。
【００２０】
さて、上下一対の弾性接触片２３は、図４、図５および図７に示すように、筒状接続部２０の端子挿入口２１における開口縁部２２の上縁２２Ａおよび下縁２２Ｂと筒状接続部２０内に配された上下一対の接触片本体２４とを前後方向にそれぞれ繋ぐように連設された一対の弾性吸収部２７を有している。
【００２１】
各弾性吸収部２７は、上下一対の弾性接触片２３の付け根部分である基端部において雄端子Ｔの挿抜方向と交差する上下方向に波形状に複数回（本実施形態では２回）屈曲した形態に設けられており、屈曲した部分が前後方向に弾性変形することで雄端子Ｔの挿抜方向である前後方向に伸縮するようになっている。
【００２２】
詳細には、各弾性吸収部２７は、図８および図１０に示すように、端子挿入口２１の開口縁部２２から前方に僅かに突出した後、筒状接続部２０の内側に向けて後方に折り返すように屈曲した第１弾性屈曲部２８と、第１弾性屈曲部２８の後端縁から後方に向けて僅かに傾斜した形態で筒状接続部２０の上下方向略中央部まで上下方向に延出した第１延出部２９と、第１延出部２９の後端縁から筒状接続部２０において弾性接触片２３の付け根が配された側の内面に向かって後方に折り返すように屈曲された第２弾性屈曲部３０と、第２弾性屈曲部３０の後端縁から後方に向けて傾斜した形態で筒状接続部２０において弾性接触片２３の付け根が配された側の内面に向けて延出された第２延出部３１と、第２延出部３１の後端縁から後方に向かうほど筒状接続部２０の上下方向略中央部に向けて後方に折り返すように屈曲された形態で接触片本体２４の前端縁に連設された第３弾性屈曲部３２とを備えて構成されている。
【００２３】
そして、第１弾性屈曲部２８、第２弾性屈曲部３０、第３弾性屈曲部３２のそれぞれが前後方向に弾性変形して、弾性吸収部２７が前後方向に伸縮することで、図８および図１０に示すように、接触片本体２４、ひいては山形部２５の接点部２６が前後方向に変位するようになっている。
【００２４】
本実施形態は、以上のような構成であって、続いて、雌端子１０の作用および効果について説明する。
まず、雌端子１０と雄端子Ｔとの接続について説明する。
雌端子１０と雄端子Ｔとを接続するには、雌端子１０の筒状接続部２０における端子挿入口２１に雄端子Ｔを挿入する。
【００２５】
雄端子Ｔが筒状接続部２０の半分程度の位置まで挿入されると、雄端子Ｔの先端が一対の弾性接触片２３におけるそれぞれの接触片本体２４に接触する。この状態からさらに雄端子Ｔを筒状接続部２０内に挿入すると、雄端子Ｔが接触片本体２４を上下方向に押し退けるようにして一対の弾性接触片２３の間に進入する。
【００２６】
そして、雄端子Ｔが筒状接続部２０内における正規の位置に至ると、図７に示すように、雄端子Ｔの雄側接点部Ｔ１が接触片本体２４の山形部２５における接点部２６によって上下方向両側から弾性的に挟持される。これにより、雄側接点部Ｔ１と接点部２６とが電気的に接続され、雄端子Ｔと雌端子１０とが電気的に接続される。
【００２７】
ところで、雄端子Ｔおよび雌端子１０が、振動が発生する場所で使用されたり、高温と低温とが繰り返される場所で使用されたりすると、雌端子１０と雄端子Ｔとの間において上下方向および前後方向に相対的に位置ずれが生じる。
【００２８】
ここで、上下一対の弾性接触片２３は、上下方向両側から雄端子Ｔを弾性的に挟持しているため、上下方向の位置ずれには追従できるものの、前後方向の位置ずれについては雄側接点部Ｔ１と接点部２６とが前後方向に微摺動することに起因した各接点部２６，Ｔ１の摩耗と、各接点部２６，Ｔ１の摩耗に伴う両端子１０，Ｔの接続信頼性の低下が懸念される。
【００２９】
ところが、本実施形態によると、雌端子１０と雄端子Ｔとの間において前後方向に相対的に位置ずれが生じる場合であっても、弾性吸収部２７の第１弾性屈曲部２８、第２弾性屈曲部３０、第３弾性屈曲部３２のそれぞれが前後方向に弾性変形し、弾性吸収部２７が前後方向に伸縮することにより、雌端子１０と雄端子Ｔとの間における前後方向の位置ずれが吸収され、弾性接触片２３の接点部２６が雄端子Ｔに追従する。
【００３０】
例えば、雄端子Ｔが雌端子１０に対して前方に位置ずれする場合、図８および図９に示すように、第１弾性屈曲部２８の内角が狭まるように弾性変形すると共に、第２弾性屈曲部３０、第３弾性屈曲部３２の内角が広がるように弾性変形することで、弾性吸収部２７が図８および図９の実線から二点鎖線の位置に変位して、接触片本体２４が後方に移動する。これにより、前方に位置ずれした雄端子Ｔの雄側接点部Ｔ１１に接点部２６が追従する。
【００３１】
また、例えば、雄端子Ｔが雌端子１０に対して後方に位置ずれする場合、図１０および図１１に示すように、第１弾性屈曲部２８の内角が広がるように弾性変形すると共に、第２弾性屈曲部３０、第３弾性屈曲部３２の内角が狭まるように弾性変形することで、弾性吸収部２７が図１０および図１１の実線から二点鎖線の位置に変位して、接触片本体２４が前方に移動する。これにより、後方に位置ずれした雄端子Ｔの雄側接点部Ｔ１１に接点部２６が追従する。
【００３２】
すなわち、雄端子Ｔに対して接触片本体２４が変位することで、雄側接点部Ｔ１と接点部２６とが摺動することを抑制することができ、雌端子１０と雄端子Ｔとの接続信頼性が低下することを抑制することができる。
【００３３】
以上のように、本実施形態によると、弾性接触片２３の基端部に弾性吸収部２７が設けられており、弾性吸収部２７の第１弾性屈曲部２８、第２弾性屈曲部３０、第３弾性屈曲部３２のそれぞれが前後方向に弾性変形可能となっているから、雄端子Ｔと雌端子１０との間で前後方向に相対的な位置ずれが生じる場合であっても、第１弾性屈曲部２８、第２弾性屈曲部３０、第３弾性屈曲部３２の複数箇所の弾性屈曲部が前後方向に弾性変形して、弾性吸収部２７が前後方向に伸縮することにより、前後方向の位置ずれが吸収される。
【００３４】
これにより、弾性接触片２３の接点部２６を雄端子Ｔの雄側接点部Ｔ１に追従させることができ、雄側接点部Ｔ１と接点部２６とが摺動することを抑制することができる。ひいては、雌端子１０と雄端子Ｔとの接続信頼性が低下することを抑制することができる。
【００３５】
また、本実施形態によると、弾性吸収部２７の第１弾性屈曲部２８、第２弾性屈曲部３０、第３弾性屈曲部３２の複数箇所において前後方向に弾性変形するから、例えば、弾性屈曲部が１箇所だけ設けられている場合に比べて、弾性吸収部２７を前後方向に大きく伸縮させることができ、弾性接触片２３における接点部２６の雄端子Ｔへの追従性を向上させることができる。これにより、雄側接点部Ｔ１と接点部２６とが摺動することをさらに抑制することができる。
【００３６】
また、本実施形態によると、弾性吸収部２７を筒状接続部２０内において空いた空間であるデッドスペースに配しているから、例えば、弾性収縮部を筒状接続部の外側に設ける場合に比べて、雌端子１０の小型化を図りつつ、雄端子Ｔと接点部２６とが摺動することを抑制することができる。
【００３７】
＜他の実施形態＞
本明細書で開示される技術は上記記述及び図面によって説明した実施形態に限定されるものではなく、例えば次のような種々の態様も含まれる。
【００３８】
（１）上記実施形態では、弾性接触片２３を、端子挿入口２１の開口縁部２２における上縁２２Ａおよび下縁２２Ｂに設けた構成とした。しかしながら、これに限らず、弾性接触片を、端子挿入口の開口縁部における幅方向両側縁にそれぞれ設けた構成にしてもよい。
【００３９】
（２）上記実施形態では、弾性吸収部２７に、第１弾性屈曲部２８、第２弾性屈曲部３０、第３弾性屈曲部３２の３つの弾性屈曲部を設けた構成にした。しかしながら、これに限らず、弾性吸収部が、雌端子と雄端子の位置ずれ分だけ前後方向に弾性変形して収縮できれば、弾性屈曲部を１つや２つに構成してもよく、４つ以上に構成してもよい。
【００４０】
(３）上記実施形態では、筒状接続部２０の端子挿入口２１の開口縁部２２に弾性接触片２３が設けられた構成とした。しかしながら、これに限らず、筒状接続部内に、弾性接触片が設けられた別体の接触部材を組み付けることで、筒状接続部内に弾性接触片が配される構成としてもよい。
【００４１】
（４）上記実施形態では、一対のワイヤバレル１４を電線Ｗの芯線Ｗ１にかしめ圧着することで電線接続部１２を電線Ｗに接続する構成とした。しかしながら、これに限らず、溶接などの公知の方法により電線接続部に電線を接続する構成にしてもよい。
【符号の説明】
【００４２】
１０：雌端子
２０：筒状接続部
２２：端子挿入口の開口縁部（「開口縁」の一例）
２３：弾性接触片
２６：接点部
２７：弾性吸収部
２８：第１弾性屈曲部（「弾性屈曲部」の一例）
３０：第２弾性屈曲部（「弾性屈曲部」の一例）
３２：第３弾性屈曲部（「弾性屈曲部」の一例）
Ｔ：雄端子
【図１】
2020053410.tif 000003
【図２】
2020053410.tif 000004
【図３】
2020053410.tif 000005
【図４】
2020053410.tif 000006
【図５】
2020053410.tif 000007
【図６】
2020053410.tif 000008
【図７】
2020053410.tif 000009
【図８】
2020053410.tif 000010
【図９】
2020053410.tif 000011
【図１０】
2020053410.tif 000012
【図１１】
2020053410.tif 000013